(57)【要約】      （修正有）【課題】身近な掃除用品であるメラミンスポンジを利用した廉価で使い勝手の良い風呂用掃除具を提供する。【解決手段】掃除具は、柄本体３の一端に所定の傾斜を有した装着板２を備え、装着板２の中央部にビス受具４が埋設され、これに装着するメラミンスポンジ５の表面中央部に連結ビス６を貫通、一体化してビス受具４にねじ込ませて固定したことで、着脱自在の構造で柄本体３とメラミンスポンジ５を連結一体化する。【選択図】図１
0003230154.tif 000002
【実用新案登録請求の範囲】
【請求項１】
柄本体の一端に所定の傾斜を有した装着板を備え、当該装着板中央部にはビス受具が埋設され、これに装着するメラミンスポンジの表面中央部に連結ビスを貫通、一体化して当該ビス受具にねじ込ませて固定することにより、着脱自在の構造で柄本体とメラミンスポンジを連結一体化したところを特徴とする掃除具。
【請求項２】
前記連結ビスは、碁石型、樹脂製のビス頭部をその一端に備えており、前記ビス頭部の上側表面にはねじ込み用の窪みが設けられたことを特徴とする請求項１に記載の掃除具。
【考案の詳細な説明】
【技術分野】
【０００１】      本考案は、柄の先端にメラミンスポンジを装着した掃除具に関するものである。
【背景技術】
【０００２】      一般家庭の風呂掃除では、直接手の届かない箇所も楽な姿勢で洗えることで，たわし用スポンジ類を柄の先端に付けた風呂用掃除具は多種類ある。中でもメラミン樹脂が素材のメラミンスポンジは洗剤が不要で水だけで汚れが落とせるため、当スポンジを装着したものは使い勝手の良い便利な掃除具である。一方で、この部分は日常的に使うことで摩耗等により定期的に交換する必要があるもので、従来、当該交換部品はメラミンスポンジと他の材料で構成された加工製品が使われていた。
【先行技術文献】
【特許文献】
【０００３】
【特許文献１】実用新案登録第３０７０６８７号  公報
【考案の概要】
【考案が解決しようとする課題】
【０００４】      従来の交換部品は、加工製品であることで柄本体との連結が容易となる利点はあるが、製品価格に加工費分が含まれ割高となっているうえ、当該製品は柄本体の付属品であるため買い求める際は系列の販売店に限定され不便となっている。従って、本考案は従来のものと同質のメラミンスポンジでありながら、一般のホームセンター等で掃除用品として広く売られているメラミンスポンジの成形品を使い、これを柄の先端に着脱自在な構造で一体化することで前述の課題を解決しようとするものである。
【課題を解決するための手段】
【０００５】      本考案は、柄本体の一端に所定の傾斜を有した装着板を備え、当該装着板中央部にはビス受具が埋設され、これに装着するメラミンスポンジの表面中央部に連結ビスを貫通、一体化して当該ビス受具にねじ込ませて固定することにより、着脱自在の構造で柄本体とメラミンスポンジを連結一体化したことで課題を解決しており、前記連結ビスは、碁石型、樹脂製のビス頭部をその一端に備えており、前記ビス頭部上側表面にはねじ込み用の窪みが設けられたことを特徴とする請求項１に記載の掃除具である。
【考案の効果】
【０００６】      上述の様に本考案で使用するメラミンスポンジは、水を使う箇所の掃除に便利なスポンジで，従来の加工製品と同質のものでありながら、各種形状寸法の成形品が身近な店舗で購入でき交換品の補充で便利となる。【０００７】      しかも、当該メラミンスポンジは価格も比較的安価なものである上、同スポンジを裏返しすることで両面使いも可能となりスポンジを有効に利用できるなど、使い勝手が良く経済的な風呂用掃除具が提供できる。【０００８】      本考案は、風呂以外の台所や洗面所等、水を使う箇所での生活用品類を対象とした掃除具としても、柄本体の材質形状を用途に応じて適宜最適化することにより、使い易く便利な掃除具を提供することができる。
【図面の簡単な説明】
【０００９】
【図１】本考案掃除具の一実施例を示す連結部の断面図である。
【図２】本メラミンスポンジ連結部分の分解図である。
【図３】本掃除具の斜視図である。
【図４】本メラミンスポンジ装着の斜視図である。
【考案を実施するための形態】
【００１０】      一般家庭の風呂掃除では、浴槽脇に腰を落として洗う姿勢が腰えの負担が少なく、また取り回し等を勘案して柄の長さは５０ｃｍ前後が妥当とし、その一端に備えた装着板は、縦６ｃｍ、横９ｃｍ、厚み１ｃｍ、各内外の概ね平板型で、柄縦軸と４５°前後の傾斜を有して設けられ、その表面中央部に装着するメラミンスポンジ（以下この項は「スポンジ」と称す）を固定するためのビス受具が埋設された以上構成の柄本体に、装着するスポンジの表面中央部を連結ビスで貫通の上、一体化して当ビス受具にねじ込ませて柄本体に固定したことで、着脱自在とする構造で柄本体と連結一体化したものである。
【００１１】      以下は添付図面に従って一実施例を詳述する。１は家庭用風呂掃除に適応した長さの柄、２は柄の一端に備えた装着板で、表面にスポンジの固定に有効な凹凸模様７を有し、柄１と共に耐久性のプラスチック等適宜素材にて一体化した柄本体３。４は当該装着板の表面中央部に埋設のビス受具で、長さ２５ｍｍ、径３ｍｍ内外のビスに対応可能とする、６は連結ビス、５は装着板に連結のスポンジを示す。
【００１２】      次に連結ビス６の構成を図示の符号に従って説明する。６ａは耐久性のプラスチック等適宜素材のビスで、ビス受具に適応した材質サイズとなり、６ｂは当該ビス頭部分を、ねじ込み圧力によるスポンジ接触部分の破壊の防止に有効な、曲面形状の碁石型に樹脂固形したもので、径１８ｍｍ、中央部厚み８ｍｍ各内外とし、上側表面にはビスねじ込み用の窪みを設けたところを特徴とした連結ビス。
【００１３】      次にスポンジ５について説明する。装着するスポンジ５の形状は装着板２に適応した平板型となり、サイズは入隅部箇所の掃除にも適応した装着板端から適宜はみ出る大きさとし、厚みは２８ｍｍ内外を使用する。なお、前述の様にスポンジ５は交換部品となるものであるから、当スポンジを購入する際は各種形状寸法の成形品の中から近似のものを買い求めることになるが、当スポンジは加工が容易であり、大きめの成形品を適宜必要な形状に整え装着することも可能なものである。
【００１４】      次にスポンジ５の装着手順について説明する。装着するスポンジ５の表面中央部を連結ビス６で貫通一体とした上、装着板２に埋設のビス受具４にねじ込み柄本体３と連結一体化するものである。なお当スポンジは局部的な圧力による抉れ破壊が生じ易い性質があるため、連結ビス貫通の際は留意が必要であるが、ゆっくり回しながら押し込むことでこれらは防止できる。また連結ビス表面部が掃除面と擦らない程度に、スポンジ表面から適宜沈み込ませた状態までねじ込みむ必要があるものである。
【００１５】      本考案の一実施例は上述の如き構成となり、日常の風呂浴槽掃除では浴槽面に付着した水垢などの汚れは、本掃除具を掃除面に軽く押し当て前後に擦る動作を数回繰り返すことで除去することが出来るもので、スポンジの摩耗等で交換や裏返しの際は上記の逆手順に従うことで着脱自在とするもである。
【符号の説明】
【００１６】      １柄
２装着板
３柄本体
４ビス受具
５メラミンスポンジ
６連結ビス
６ａビス
６ｂビス頭部の樹脂固形部分
７装着板表面の凹凸模様
【図１】
0003230154.tif 000003
【図２】
0003230154.tif 000004
【図３】
0003230154.tif 000005
【図４】
0003230154.tif 000006